(57)【特許請求の範囲】
【請求項１】
シフトレバーに連結しており、第１のシフトフォークが摺動可能に支持され軸方向移動および回転可能な第１軸と、
前記第１軸に並設され、第２のシフトフォークが摺動可能に支持され軸方向移動および回転可能な第２軸と、
前記第１軸に固着された第１のレバーと、
前記第２軸に固着され、前記第１のレバーに係合した第２のレバーと、
前記第２軸に固着された第２軸の回転により前記第１及び第２のシフトフォークのいずれか１つを選択して第２軸の軸方向移動に連動させる第３のレバーと、前記第１軸または第２軸の一方に一端が係止され、両脚部を有するトーションスプリングと、
前記第１軸または第２軸の他方に固着された前記レバーの長手方向の異なった位置に配設され、前記レバーの回転に応じて前記トーションスプリングの両脚部の長手方向の異なった箇所に当接する当接部と
から成ることを特徴とするマニュアルトランスミッションのシフト機構。
【請求項２】
請求項１において、
前記トーションスプリングの一端を構成するコイル部が前記第２軸に介挿されている
ことを特徴とするマニュアルトランスミッションのシフト機構。
【請求項３】
請求項２において、
前記第１のレバーにおいて、前記当接部として一方の側壁に２個のピンが配設され、他方の側壁に１個のピンが配設されている
ことを特徴とするマニュアルトランスミッションのシフト機構。
【請求項４】
請求項３において、
前記トーションスプリングの前記コイル部に連結した前記両脚部の先端が選択的に前記第１軸に係止される構成より成る
ことを特徴とするマニュアルトランスミッションのシフト機構。
【請求項５】
請求項４において、
前記第１のレバーおよび第２のレバーの開放端が球継ぎ手によって連結されている
ことを特徴とするマニュアルトランスミッションのシフト機構。
【発明の詳細な説明】
【０００１】
【産業上の利用分野】
本発明は、各セレクト点においてトーションスプリングの両脚部とピンとを選択的に当接させて有効アーム長さを変えることにより、異なったセレクトリターン力を実現するとともに、すべり損失に伴うシフト効率の低下を防止するマニュアルトランスミッションのシフト機構に関する。
【０００２】
【従来の技術】
従来のマニュアルトランスミッションのシフト機構は、図８および図９に示すようにチェンジレバーＬの先端の球体Ｃが、コントロールレバーＫのエンドＥに設けられた穴Ｈ内に介挿され、前記コントロールレバーＫに巻回されたコイルスプリングＳが前記チェンジレバーＬに対してたすき状に配設され、その一端Ｏが前記エンドＥのストッパ部Ｐに外方から圧着するとともに、他端Ｔが前記チェンジレバーＬの先端部の両側に当接するように装着され、前記チェンジレバーＬにリターン力を作用させている。
【０００３】
【発明が解決しようとする課題】
上記従来のシフト機構は、前記コイルスプリングＳの前記他端Ｔが、セレクト方向に応じて前記チェンジレバーＬの先端部の両側の一方に当接して、前記チェンジレバーＬにリターン力を作用させるものであるため、セレクト方向にかかわらずセレクトリターン力が同じであり、操作上使い勝手が悪いという問題が有った。
【０００４】
また上記従来のシフト機構は、前記チェンジレバーＬがシフトされると、前記コントロールレバーＫと前記チェンジレバーＬとの成す角度がシフト方向に応じて変化するため前記コイルスプリングＳと前記チェンジレバーＬとにすべりが生じ、すべり損失が発生してシフト効率が低下するという問題が有った。
【０００５】
そこで本発明者らは、各セレクト点においてトーションスプリングの両脚部とピンとを選択的に当接させて有効アーム長さを変えることにより、異なったセレクトリターン力を得るという本発明の技術的思想に着眼し、さらに研究開発を重ねた結果、セレクト位置に応じてセレクトリターン力が変化するようにして操作上使い勝手を良くするとともに、シフト時におけるすべり損失に伴うシフト効率の低下を防止するという目的を達成する本発明に到達した。
【０００６】
【課題を解決するための手段】
本発明のマニュアルトランスミッションのシフト機構は、
シフトレバーに連結しており、第１のシフトフォークが摺動可能に支持され軸方向移動および回転可能な第１軸と、
前記第１軸に並設され、第２のシフトフォークが摺動可能に支持され軸方向移動および回転可能な第２軸と、
前記第１軸に固着された第１のレバーと、
前記第２軸に固着され、前記第１のレバーに係合した第２のレバーと、
前記第２軸に固着された第２軸の回転により前記第１及び第２のシフトフォークのいずれか１つを選択して第２軸の軸方向移動に連動させる第３のレバーと、前記第１軸または第２軸の一方に一端が係止され、両脚部を有するトーションスプリングと、
前記第１軸または第２軸の他方に固着された前記レバーの長手方向の異なった位置に配設され、前記レバーの回転に応じて前記トーションスプリングの両脚部の長手方向の異なった箇所に当接する当接部と
から成るものである。
【０００７】
【作用】
上記構成より成る本発明のマニュアルトランスミッションのシフト機構は、前記シフトレバーがセレクトされると、前記第１軸がそれに応じて回転するので、前記第１軸に固着された第１のレバーに係合した第２のレバーが前記第２軸回りに回転し、この時前記第１軸または第２軸の一方に一端が係止された前記トーションスプリングの両脚部と前記第１軸または第２軸の他方に固着された前記レバーの長手方向の異なった位置に配設された当接部とが、前記レバーの回転に応じて選択的に当接するため、すなわち前記レバーの有効アーム長さおよび荷重が変わるので、セレクトリターン力は異なるものとなる。
【０００８】
また本発明のマニュアルトランスミッションのシフト機構は、前記第１軸に固着した前記第１のレバーと前記第２軸に固着した前記第２のレバーとが係合しているので、前記シフトレバーがシフトされると前記第１のレバーと第２のレバーとが連動して軸方向に動くので、前記トーションスプリングとの相対的すべりが生じない。
【０００９】
【発明の効果】
上記作用を奏する本発明のマニュアルトランスミッションのシフト機構は、前記複数の当接部が、前記レバーの回転に応じて前記トーションスプリングの前記両脚部に選択的に当接するため、すなわち前記レバーの有効アーム長さおよびモーメントが変わるので、セレクトリターン力が変化するため、操作上使い勝手を良くするという効果を奏するものである。
【００１０】
また本発明のシフト機構は、シフト時において、前記第１のレバーと第２のレバーとが連動して軸方向に動き、相対的動きが無いので、前記トーションスプリングとの相対的すべりが生じないため、すべり損失に伴うシフト効率の低下を防止するという効果を奏する。
【００１１】
【実施例】
以下本発明の実施例につき、図面を用いて説明する。
【００１２】
（第１実施例）
本第１実施例のマニュアルトランスミッションのシフト機構は、図１ないし図５に示すようにシフトレバー（図示せず）に連結しており、第１のシフトフォーク１１が摺動可能に支持され軸方向移動および回転可能な第１軸１と、前記第１軸１に平行に配設され、第２のシフトフォーク２１が摺動可能に支持され軸方向移動および回転可能な第２軸２と、前記第１軸１に固着された第１のレバー３と、前記第２軸２に固着され、前記第１のレバー３の第１の開放端３１に球継ぎ手４３によって連結されている第２の開放端４１を有する第２のレバー４と、前記第２軸２に一端を構成するコイル部５１が介挿されているとともに、前記コイル部５１に連結しており先端が選択的に前記第１軸１に係止される上方および下方の脚部５２、５３を有するトーションスプリング５と、前記第１のレバー３の一方の側壁の長手方向の異なった位置に配設された２個のピン６１、６２と、他方の側壁の長手方向の前記ピン６１、６２の間の位置に配設された１個のピン６３とから成る当接部６とから成るものである。
【００１３】
前記第１軸１は、図５に示すように右端に前記シフトレバーへの連絡部が形成され、ミッションケース１０に右端近くにおいてベアリング１０１により軸支されているとともに左端において凹部１０２内に介挿され、軸方向移動及び回転可能に支持されている。
【００１４】
前記第２軸２は、図５に示すように両端において前記ミッションケース１０の凹部１０３、１０４に介挿され、回転可能に支持されているとともに軸方向移動可能に支持されており、２個のシフトフォーク２１１、２１３及び第３のレバー２１２が配設されている。
【００１５】
前記第１のレバー３は、図１ないし図５に示すように前記第１軸１の左端側に固着された基部３０と、前記基部３０に連続したアーム部３２と、前記アーム部３２に連続した前記第２のレバー４の開放端４１の球状突起４２が嵌合される球継ぎ手４３を構成する凹部３３が形成された略Ｙ字状縦断面の開放端３１とから成る。
【００１６】
前記第２のレバー４は、図１ないし図５に示すように前記第２軸２の左端側に固着された基部４０と、前記基部４０に連続するとともに前記第１のレバー３の前記開放端３１の前記凹部３３に嵌合される球継ぎ手４３を構成する球状突起４２より成る開放端４１とから成る。
【００１７】
前記トーションスプリング５は、図１ないし図５に示すように一端のコイル部５１が前記第２のレバー４の基部４０と前記第２軸２の左端との間の前記第２軸２に介挿され、直線状の前記上方および下方の脚部５２、５３が前記第１軸１まで延在して、先端が前記第１軸１を挟んでいる。
【００１８】
前記当接部６は、図１に示すように前記第１軸１の軸心から夫々半径Ｒａ、Ｒｂ、Ｒｃの前記第１のレバー３上の位置に配設された先端部に脚部５２、５３との係合用の溝を形成したピン６１、６３、６２によって構成され、図６に示すニュートラルのセレクト点の前記トーションスプリング５と各ピンとの当接状態を図１に示し、上方の脚部５２および下方の脚部５３の先端がニュートラル状態で前記第１軸１に当接している。
【００１９】
図６に示す５速ギアにシフトする時のセレクト点であるＡ点の前記トーションスプリング５と各ピンとの当接状態を図２に示し、上方の脚部５２は先端が前記第１軸１に当接し、下方の脚部５３が前記ピン６３に当接している。この時の第１軸１上でのトーションスプリングに抗する回転トルクの大きさは図７の（ａ）に相当する。
【００２０】
図６に示す１速ギアおよび２速ギアにシフトする時のセレクト点であるＢ点の前記トーションスプリング５と各ピンとの当接状態を図４に示し、上方の脚部５２は前記ピン６１に当接し、下方の脚部５３の先端が前記第１軸１に当接している。この時の第１軸１上でのトーションスプリングに抗する回転トルクの大きさは図７の（ｂ）に相当する。
【００２１】
図６に示すリバースギアにシフトする時のセレクト点であるＣ点の前記トーションスプリング５と各ピンとの当接状態を図３に示し、上方の脚部５２が前記ピン６２に当接している。この時の第１軸１上でのトーションスプリングに抗する回転トルクの大きさは図７の（ｃ）に相当する。
【００２２】
回転トルク（ａ）、（ｂ）、（ｃ）の大小関係は（ｂ）＜（ａ）＜（ｃ）となる。何故ならば第１軸１上での回転トルクの大きさはピン６１、６２、６３と軸２の軸心の距離に反比例しピン６１、６２、６３と軸１の軸心の距離に比例し、トーションスプリングの脚部５２、５３の回転撓み角に比例するからである。
【００２３】
上記構成より成る第１実施例のマニュアルトランスミッションのシフト機構は、前記シフトレバーが操作されいずれかのセレクト点がセレクトされると、前記第１軸１が回転し、それに伴い前記第１軸１に球継ぎ手によって連結している前記第２軸２が連動して回転する。
【００２４】
例えば図６に示す３速ギアおよび４速ギアにシフトする時のセレクト点であるニュートラルのセレクト点がセレクトされると、前記第１軸１および前記第２軸２が回転して前記第１のレバー３および前記第２のレバー４が図１に示すような角度関係となり、トーションスプリングの回転撓み角は０°なのでセレクト力は発生しない。
【００２５】
前記シフトレバーが操作され図６に示す１速ギアおよび２速ギアにシフトする時のセレクト点であるＢ点がセレクトされると、前記第１軸１および前記第２軸２が回転して前記第１のレバー３および前記第２のレバー４が図４に示すような角度関係となり、１速ギアおよび２速ギアへのシフトを可能にするとともに、前記トーションスプリング５と前記ピンとが図４に示す様な当接状態となり、上方の脚部５２が前記ピン６１に当接し、下方の脚部５３の先端が前記第１軸１に当接し、図７に示すようにセレクトリターン力がニュートラル時より大きくなる。
【００２６】
前記シフトレバーが操作され図６に示す５速ギアにシフトする時のセレクト点であるＡ点がセレクトされると、前記第１軸１および前記第２軸２が回転して前記第１のレバー３および前記第２のレバー４が図２に示すような角度関係となり、５速ギアへのシフトを可能にするとともに、前記トーションスプリング５と前記ピンとが図２に示す当接状態となり、上方の脚部５２の先端が前記第１軸１に当接し、下方の脚部５３が前記ピン６３に当接し、図７に示すようにセレクトリターン力が大きくなる。
【００２７】
前記シフトレバーが操作され図６に示すリバースギアにシフトする時のセレクト点であるＣ点がセレクトされると、前記第１軸１および前記第２軸２が回転して前記第１のレバー３および前記第２のレバー４が図３に示すような角度関係となり、リバースギアへのシフトを可能にするとともに、前記トーションスプリング５と前記ピンとが図３に示す当接状態となり、上方の脚部５２が前記ピン６２に当接し、前記下方の脚部５３が前記第１軸１に当接し、図７に示すようにセレクトリターン力が最も大きくなる。
【００２８】
上記作用を奏する第１軸１のマニュアルトランスミッションのシフト機構は、ニュートラル、ＡないしＣ点の何れがセレクトされるかにより、有効半径の異なる前記各ピン６１ないし６３および前記第１軸１と前記トーションスプリング５の上方の脚部５２および下方の脚部５３との当接関係すなわち当接点および有効半径が選択的に切り替えられることにより、図７に示すように各セレクト点において異なったセレクトリターン力を生じさせるという効果を奏するとともに、ドライバの操作上使い勝手を良くするという効果を奏する。
【００２９】
又本第１実施例のシフト機構は、前記シフトレバーが操作されいずれかのセレクト点がセレクトされると、前記第１軸１が回転し、それに伴い前記第１軸１に球継ぎ手４３によって連結している前記第２軸２が連動して回転するとともに、その状態において前記シフトレバーが何れかのギアにシフトされると前記第１軸１が軸方向に移動し、それに伴い前記前記第１軸１に球継ぎ手４３によって連結している前記第２軸２も連動して軸方向に移動するので、前記トーションスプリング５に当接する前記第１軸１および前記第１のレバー３に配置された各ピン６１ないし６３との間に従来装置のような相対的動きおよびすべりが無いので、すべり損失に伴うシフト効率の低下を防止するという効果を奏する。
【００３０】
さらに本第１実施例のシフト機構は、前記トーションスプリング５のコイル部５１を前記第２軸２に介挿したので、前記第１軸１に固着した前記第１のレバー３に配設した前記各ピン６１ないし６３と前記コイル部５１を介して前記第２軸２に介挿された前記トーションスプリング５の上方および下方の脚部５２および５３との選択的当接を実現するという効果を奏する。
【００３１】
また本第１実施例のシフト機構は、前記トーションスプリング５の両脚部５２、５３を前記第１軸１に当接し得る長さに設定するとともに、前記第１のレバー３の一方および他方の側壁に配置する前記３個のピンの位置関係を有効半径を考慮して決定するという非常に簡単な構成により、セレクト点に応じた異なったセレクトリターン力を得ることが出来るという効果を奏する。
【００３２】
さらに本第１実施例のシフト機構は、前記第１のレバー３に配設される前記ピンの位置および有効半径を変えることにより、トーションスプリング５を変えなくても、セレクトリターン力を簡単に変えることが出来るという効果を奏するとともに、前記トーションスプリング５をバネ定数の異なるものに変更することにより全体的にセレクトリターン力を変えることが出来るという効果を奏する。
【００３３】
また第１実施例のシフト機構は、図６に一例として示したシフトパターン以外のシフトパターンに対しても、前記ピン６１ないし６３の配設位置を変更するだけで容易に対応することが出来るという効果を奏する。
【００３４】
さらに本第１実施例のシフト機構は、前記ピン６１、６３、６２の先端部に前記トーションスプリング５の上方および下方の脚部５２、５３との係合用の溝を形成したので、あるセレクト点においてシフトが行われても前記上方および下方の脚部５２、５３が前記ピンの係合用の溝に係合しているため、外れることが無いという効果を奏する。
【００３５】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００３６】
上述の第１実施例は、トーションスプリング５のコイル部を第２軸に介挿した例について説明したが、本発明はそれに限定するものでは無く、例えばトーションスプリングのコイル部を第１軸に介挿して、第２軸２に固着した第２のレバー４に各ピンを配設する態様も採用可能である。
【図面の簡単な説明】
【図１】本発明の第１実施例におけるニュートラルすなわち３速ギアおよび４速ギアセレクト時における状態を示す説明図である。
【図２】本第１実施例における５速ギアセレクト時における状態を示す説明図である。
【図３】本第１実施例におけるリバースギアセレクト時における状態を示す説明図である。
【図４】本第１実施例における１速ギアおよび２速ギアセレクト時における状態を示す説明図である。
【図５】本第１実施例装置を示す一部欠截平面図である。
【図６】本第１実施例におけるシフトパターンを説明する説明図である。
【図７】本第１実施例における各セレクト点におけるセレクトリターン力を示す線図である。
【図８】従来装置を示す断面図である。
【図９】従来装置の動作状態を説明する説明図である。
【符号の説明】
１  第１軸
２  第２軸
３  第１のレバー
４  第２のレバー
５  トーションスプリング
６  当接部
１１  第１のシフトフォーク
２１  第２のシフトフォーク
３１  第１の開放端
４１  第２の開放端
４３  球継ぎ手
５１  コイル部
５２  上方の脚部
５３  下方の脚部
６１、６２、６３  ピン
２１２  第３のレバー
【図１】
0003571760.tif 000002
【図２】
0003571760.tif 000003
【図３】
0003571760.tif 000004
【図４】
0003571760.tif 000005
【図５】
0003571760.tif 000006
【図６】
0003571760.tif 000007
【図７】
0003571760.tif 000008
【図８】
0003571760.tif 000009
【図９】
0003571760.tif 000010